(57)【特許請求の範囲】
【請求項１】
架台と、
前記架台上に固定される太陽光パネルと、
前記架台の縦側の端部を覆うように配置され、横方向に位置調整可能な縦側化粧材と、
前記架台の横側の端部を覆うように配置され、縦方向に位置調整可能な横側化粧材と、を備える太陽光発電屋根の前記縦側化粧材と前記横側化粧材によって形成される出隅部に配置される出隅用コーナー部材であって、
前記出隅用コーナー部材は、
前記出隅部を覆う端部カバーと、
前記端部カバーが取り付けられるとともに、前記端部カバーを縦方向又は横方向に位置調整可能なコーナーブロックと、
前記コーナーブロックと前記端部カバーの間で前記端部カバーの位置調整可能な方向に少なくとも直交する方向で位置調整可能なスライドカバーと、を備える太陽光発電屋根の出隅用コーナー部材。
【請求項２】
前記架台は、前記縦側化粧材を支持する縦桟と、該縦桟に連結されて前記横側化粧材を支持する横桟と、を有し、
前記縦桟は、その延設方向に延びる溝で形成された縦桟樋部を有し、
前記横桟は、その延設方向に延びる溝で形成された横桟樋部を有し、
前記縦桟樋部と前記横桟樋部は、互いに連通している請求項１に記載の太陽光発電屋根の出隅用コーナー部材。
【請求項３】
架台と、
前記架台上に固定される太陽光パネルと、
前記架台の縦側の端部を覆うように配置され、横方向に位置調整可能な縦側化粧材と、
前記架台の横側の端部を覆うように配置され、縦方向に位置調整可能な横側化粧材と、を備える太陽光発電屋根の前記縦側化粧材と前記横側化粧材によって形成される入隅部に配置される入隅用コーナー部材であって、
前記入隅用コーナー部材は、
前記入隅部を覆う端部カバーと、
前記端部カバーが取り付けられるとともに、前記端部カバーを縦方向又は横方向に位置調整可能なコーナーブロックと、
前記コーナーブロックと前記端部カバーの間で前記端部カバーの位置調整可能な方向に少なくとも直交する方向で位置調整可能なスライドカバーと、を備える太陽光発電屋根の入隅用コーナー部材。
【請求項４】
前記架台は、前記縦側化粧材を支持する縦桟と、該縦桟に連結されて前記横側化粧材を支持する横桟と、を有し、
前記縦桟は、その延設方向に延びる溝で形成された縦桟樋部を有し、
前記横桟は、その延設方向に延びる溝で形成された横桟樋部を有し、
前記縦桟樋部と前記横桟樋部は、互いに連通している請求項３に記載の太陽光発電屋根の入隅用コーナー部材。
【発明の詳細な説明】
【技術分野】
【０００１】
本発明は、太陽光発電屋根に用いられる出隅用コーナー部材及び入隅用コーナー部材に関する。
【背景技術】
【０００２】
従来、建物の屋根と太陽光パネルとが一体に形成された太陽光発電屋根が知られている。この種の技術を開示するものとして例えば特許文献１がある。特許文献１には、太陽エネルギー利用装置の設置構造として、複数配列した太陽エネルギー利用装置（太陽光パネル）の周囲に配設される周囲枠と、周囲枠と太陽エネルギー利用装置の間の隙間を塞ぐための隙間調整材と、を有し、隙間調整材の固定位置が調整できる構成が開示されている。
【先行技術文献】
【特許文献】
【０００３】
【特許文献１】特開２０１５−６８０８０号公報
【発明の概要】
【発明が解決しようとする課題】
【０００４】
ところで、周囲枠の出隅や入隅等の隅部分を覆うカバーを配置することがある。カバーの寸法は、周囲枠を形成する枠材の屋根の流れ方向や該流れ方向に直交するケラバ方向の寸法に合わせる必要があるが、枠材の位置を屋根の流れ方向やケラバ方向で調節した場合、カバーが隅部に合わなくなることがある。カバーを大きく形成して調整するための余裕を持たせることも考えられるが、屋根の流れ方向及びケラバ方向の両方の長さを大きくすれば枠材を超えて太陽光パネルの受光面を隠すような巨大なカバーとなってしまう。一方、現場の状況に応じてカバーを特注する方法もあるが、特注品はコスト上昇を招いてしまう。
【０００５】
本発明は、隅部において屋根の流れ方向やケラバ方向の長さが現場によって異なる場合でも、柔軟に対応できる太陽光発電屋根の出隅用コーナー部材及び入隅用コーナー部材を提供することを目的とする。
【課題を解決するための手段】
【０００６】
本発明は、架台（例えば、後述の太陽光パネル架台４）と、前記架台上に固定される太陽光パネル（例えば、後述の太陽光パネル５）と、前記架台の縦側の端部を覆うように配置され、横方向に位置調整可能な縦側化粧材（例えば、後述のケラバ側枠材６３）と、前記架台の横側の端部を覆うように配置され、縦方向に位置調整可能な横側化粧材（例えば、後述の棟側枠材６２）と、を備える太陽光発電屋根（例えば、後述の太陽光発電屋根１）の前記縦側化粧材と前記横側化粧材によって形成される出隅部に配置される出隅用コーナー部材であって、前記出隅用コーナー部材は、前記出隅部を覆う端部カバー（例えば、後述の棟端部カバー７０）と、前記端部カバーが取り付けられるとともに、前記端部カバーを縦方向又は横方向に位置調整可能なコーナーブロック（例えば、後述のコーナーブロック７６）と、前記コーナーブロックと前記端部カバーの間で前記端部カバーの位置調整可能な方向に少なくとも直交する方向で位置調整可能なスライドカバー（コーナーカバー７７）と、を備える太陽光発電屋根の出隅用コーナー部材（例えば、後述の出隅用コーナー部材６９）に関する。
【０００７】
また本発明は、架台と、前記架台上に固定される太陽光パネルと、前記架台の縦側の端部を覆うように配置され、横方向に位置調整可能な縦側化粧材と、前記架台の横側の端部を覆うように配置され、縦方向に位置調整可能な横側化粧材と、を備える太陽光発電屋根の前記縦側化粧材と前記横側化粧材によって形成される入隅部に配置される入隅用コーナー部材であって、前記入隅用コーナー部材は、前記入隅部を覆う端部カバーと、前記端部カバーが取り付けられるとともに、前記端部カバーを縦方向又は横方向に位置調整可能なコーナーブロックと、前記コーナーブロックと前記端部カバーの間で前記端部カバーの位置調整可能な方向に少なくとも直交する方向で位置調整可能なスライドカバーと、を備える太陽光発電屋根の入隅用コーナー部材（例えば、後述の入隅用コーナー部材２６９）に関する。
【０００８】
前記太陽光発電屋根の出隅用コーナー部材及び入隅用コーナー部材いずれにおいても、前記架台は、前記縦側化粧材を支持する縦桟（例えば、後述の縦桟４１）と、該縦桟に連結されて前記横側化粧材を支持する横桟（例えば、後述の横桟４２）と、を有し、前記縦桟は、その延設方向に延びる溝で形成された縦桟樋部（例えば、後述の縦桟樋部４１０）を有し、前記横桟は、その延設方向に延びる溝で形成された横桟樋部（例えば、後述の横桟樋部４２０）を有し、前記縦桟樋部と前記横桟樋部は、互いに連通していることが好ましい。
【発明の効果】
【０００９】
本発明によれば、隅部において屋根の流れ方向やケラバ方向の長さが現場によって異なる場合でも、柔軟に対応できる太陽光発電屋根の出隅用コーナー部材及び入隅用コーナー部材を提供できる。
【図面の簡単な説明】
【００１０】
【図１】本発明の第１実施形態に係る太陽光発電屋根を示す斜視図である。
【図２】上記実施形態に係る太陽光発電屋根の縦断面図である。
【図３】上記実施形態に係る太陽光発電屋根の隅部の横断面図である。
【図４】上記実施形態に係る太陽光発電屋根の出隅部を示す拡大平面図である。
【図５】上記実施形態に係る太陽光発電屋根の棟側枠材の拡大縦断面図である。
【図６】上記実施形態に係る棟カバーの取付位置の調整機能を説明する図である。
【図７】上記実施形態に係るケラバ側枠材周辺の横断面図である。
【図８】上記実施形態に係る出隅部の分解斜視図である。
【図９】上記実施形態に係る出隅部の位置調節機能を説明する図である。
【図１０】第２実施形態に係る太陽光発電屋根の入隅部を示す拡大平面図である。
【図１１】第２実施形態に係る入隅部の分解斜視図である。
【図１２】第２実施形態に係る入隅部の位置調節機能を説明する図である。
【発明を実施するための形態】
【００１１】
以下、本発明の実施形態について図面を参照しながら詳細に説明する。
【００１２】
図１は、本発明の第１実施形態に係る太陽光発電屋根１を示す斜視図である。図１に示すように、太陽光発電屋根１は、建物の屋根面に配置されており、該屋根面の略全面が太陽光パネルと一体となっており、統一感のある高い意匠性が実現されている。また、本実施形態の屋根面は、棟から片側に傾斜する片流れ式になっている。
【００１３】
図２は、上記実施形態に係る太陽光発電屋根１の縦断面図である。図３は、上記実施形態に係る太陽光発電屋根１の隅部の横断面図である。図４は、上記実施形態に係る太陽光発電屋根１の出隅部を示す拡大平面図である。
【００１４】
図２に示すように、太陽光発電屋根１は、下地材３と、太陽光パネル架台４と、太陽光パネル５と、を備える。下地材３は、屋根面に配置され、太陽光発電屋根１の土台部分を構成する。下地材３により、太陽光パネル架台４が固定支持され、該太陽光パネル架台４に太陽光パネル５が配置される。
【００１５】
図３に示すように、下地材３は、野地板３１と、防水シート３２と、鋼板３３と、を備える。野地板３１は、建物２の屋根の骨組みである垂木３０の上に張られて配置される。この野地板３１は、太陽光発電屋根１の全面に配置される。野地板３１としては、合板等の板材が用いられる。
【００１６】
防水シート３２は、上述の野地板３１上に配置される。この防水シート３２により、太陽光発電屋根１の防水性が高められる。防水シート３２としては、板紙にアスファルトを含浸させたアスファルトルーフィング等の防水材料が用いられる。
【００１７】
鋼板３３は、上述の防水シート３２上に配置される。この鋼板３３により、太陽光発電屋根１の防火性、防水性及び強度が高められる。鋼板３３としては、従来公知の防火鋼板等が用いられる。
【００１８】
太陽光パネル架台４は、棟から軒に亘って配置される。本実施形態の太陽光パネル架台４は、架台本体４０と、化粧材６と、水返し材９と、を備える。
【００１９】
架台本体４０は、下地材３上にビス止めされて固定され、太陽光パネル５を固定支持する。架台本体４０は、格子状に枠組みされた複数の縦桟４１と、複数の横桟４２と、を備える。
【００２０】
縦桟４１は、屋根面の傾斜方向に延びて、棟から軒先に亘って通しで設けられる。縦桟４１は、屋根面の傾斜方向に沿うようにして一定間隔で複数配置されて下地材３にビス止めされる。また、図１に示すように、縦桟４１は、後述の隣接する太陽光パネル５の縦辺部の継ぎ目５１の直下に配置される。
【００２１】
横桟４２は、屋根面の傾斜方向に直交する方向に延びて設けられ、縦桟４１上にビス止めされる。横桟４２は、後述の隣接する太陽光パネル５の横辺部の横連結部５２の直下に配置される。また、横桟４２は、隣接する縦桟４１同士を橋渡しするように複数設けられる。即ち、横桟４２は、両ケラバ側端部間に亘って通しで設けられてはいない。
【００２２】
なお、架台本体４０を構成する縦桟４１と横桟４２は、それぞれ、雨水を排水するための排水構造を備える。以下、縦桟４１及び横桟４２の構造について説明する。なお、以下の説明では、図２及び図３を参照して、縦桟４１についてはケラバ側の縦桟４１を例に挙げて説明し、横桟４２については棟側の横桟４２を例に挙げて説明するが、他の縦桟４１及び横桟４２も同様の構造である。
【００２３】
図３に示すように、縦桟４１は、下地材３に固定される底面部４１１と、この底面部４１１に立設される一対の第１立設部４１２，４１２と、これら第１立設部４１２，４１２の外側で底面部４１１に立設される一対の第２立設部４１３，４１３と、を備える。
一対の第１立設部４１２，４１２のうち、ケラバ側の第１立設部４１２はケラバ側枠材６３を支持し、太陽光パネル５側の第１立設部４１２は横桟４２を支持する。
一対の第２立設部４１３，４１３のうち、ケラバ側の第２立設部４１３はケラバ側枠材６３に固定され、太陽光パネル５側の第２立設部４１３は横桟４２に固定される。
【００２４】
第１立設部４１２，４１２と底面部４１１とにより、屋根面の傾斜方向に延びる縦桟第１溝４１ａが縦桟４１の幅方向中央に形成される。また、第２立設部４１３と底面部４１１及び第１立設部４１２とにより、屋根面の傾斜方向に延びる縦桟第２溝４１ｂが縦桟４１の幅方向両端にそれぞれ形成される。そして、これら縦桟第１溝４１ａと一対の縦桟第２溝４１ｂ，４１ｂにより、屋根面の傾斜方向に延びる縦桟樋部４１０が形成される。この縦桟樋部４１０が、縦桟４１の排水構造として機能する。
【００２５】
また図２に示すように、横桟４２は、横桟本体部４２１と、上側延出部４２２と、下側延出部４２３と、を備える。
横桟本体部４２１は、断面視で中空方形状の方形部４２１ａと、その上部に中空凸状の凸部４２１ｂとを有し、これら中空部が連通して形成された構造を有する。凸部４２１ｂは、棟側枠材６２と太陽光パネル５との間に配置される。
【００２６】
上側延出部４２２は、屋根面の傾斜方向に沿って上側に延出し、その延出方向先端が立設して形成される。同様に、下側延出部４２３は、屋根面の傾斜方向に沿って下側に延出し、その延出方向先端が立設して形成される。
上側延出部４２２と横桟本体部４２１とにより、横桟第１溝４２ａが形成される。また、下側延出部４２３と横桟本体部４２１とにより、横桟第２溝４２ｂが形成される。そして、これら横桟第１溝４２ａ及び横桟第２溝４２ｂにより、屋根面の傾斜方向に直交する方向に延びる横桟樋部４２０が形成される。この横桟樋部４２０が、横桟４２の排水構造として機能する。
【００２７】
なお、図３に示すように、縦桟４１の縦桟樋部４１０と横桟４２の横桟樋部４２０は、互いに連通している。即ち、縦桟４１によって下方から支持される横桟４２の横桟樋部４２０におけるケラバ側端部は、縦桟４１の縦桟樋部４１０の上方に位置し、両者は連通している。これにより、横桟樋部４２０を流れる雨水は縦桟樋部４１０に案内されるようになっている。
【００２８】
太陽光パネル５は、モジュール部品であり、複数枚が太陽光発電屋根１の屋根面の傾斜方向及び該傾斜方向と直交する方向に並列配置される。
【００２９】
太陽光パネル５は、下地材３から離隔した状態で太陽光パネル架台４（架台本体４０）上に固定支持される。太陽光パネル５と下地材３との間には、架台本体４０によって通気路７が形成される。
【００３０】
図１に示すように、太陽光パネル５の周縁部のうち、屋根面の傾斜方向に沿う縦辺部は、隣接する太陽光パネル５の縦辺部との間に、縦方向に延びる継ぎ目５１を形成する。また、太陽光パネル５の周縁部のうち、屋根面の傾斜方向に直交する方向に沿う横辺部は、上述の架台本体４０を構成する横桟４２を間に挟んで、隣接する太陽光パネル５の横辺部に連結されることで、横連結部５２を形成する。横連結部５２は、上述したように、架台本体４０を構成する横桟４２の直上に配置される。
【００３１】
また、本実施形態の化粧材６は、軒側枠材６１と、一対のケラバ側枠材６３，６３と、棟側枠材６２と、を備える。これら軒側枠材６１、一対のケラバ側枠材６３，６３及び棟側枠材６２は、架台本体４０（太陽光パネル５）の周囲を囲繞する周囲枠を構成する。周囲枠を構成する各部材について説明する。
【００３２】
軒側枠材６１は、太陽光発電屋根１の軒先に配置される。軒側枠材６１は、太陽光発電屋根１の屋根面の傾斜方向に直交する方向に延びてその軒先を覆うことで、軒先を保護する。これにより、軒先の意匠性が高められている。
【００３３】
本実施形態の軒側枠材６１は、軒カバー取付部６１０と、軒カバー６１１と、軒端部カバー８０と、を備える。軒カバー取付部６１０は、棟に沿って延設され、架台本体４０の横桟４２にビス止めされる。
【００３４】
軒カバー６１１は、軒先に沿って延設され、軒カバー取付部６１０を介して架台本体４０に取り付けられる。軒カバー６１１は、断面視で、屋根面の傾斜方向に沿って延びた後、軒先に向かうに従い下方に傾斜して設けられる。軒端部カバー８０は、軒側の妻側の端部に設けられる。軒端部カバー８０は、軒カバー６１１の外形に沿って軒カバー６１１を覆うように設けられ、軒カバー６１１にビス止めされる。
【００３５】
また、図２及び図３に示すように、太陽光発電屋根１は、ケラバ側破風板６４と、軒側破風板６５と、軒樋６６と、棟側破風板６７と、を備える。なお、図１ではこれらケラバ側破風板６４、軒側破風板６５及び軒樋６６の記載は省略している。
【００３６】
ケラバ側破風板６４は、破風下地６４１を介してケラバ側の端部から垂下して設けられる。軒側破風板６５は、破風下地６５１を介して軒先から垂下して設けられ、棟側破風板６７は、破風下地６７１を介して軒先から垂下して設けられる。軒樋６６は、軒側破風板６５の外面に取り付けられ、上述の架台本体４０の縦桟４１等により軒先から排出される雨水を排水する。
【００３７】
次に、ケラバ側枠材６３について説明する。図１に示すように、一対のケラバ側枠材６３，６３は、太陽光発電屋根１のケラバ側の端部に配置される。一対のケラバ側枠材６３，６３は、太陽光発電屋根１の屋根面の傾斜方向に延びて妻側の端部をそれぞれ覆うことで、妻側の端部を保護する。これにより、妻側の端部の意匠性が高められている。
【００３８】
図３に示すように、一対のケラバ側枠材６３，６３は、それぞれ第１ケラバ側枠材６３１と、第２ケラバ側枠材６３２を有する。
【００３９】
第１ケラバ側枠材６３１は、ケラバに沿って延設され、第２ケラバ側枠材６３２にビス止めされる。また、第１ケラバ側枠材６３１は、断面視で、妻側に向かって延びた後、下方に屈曲して延出する。
【００４０】
第２ケラバ側枠材６３２は、ケラバに沿って延設され、第１ケラバ側枠材６３１の下部に配置される。第２ケラバ側枠材６３２は、上述の架台本体４０を構成する縦桟４１にビス止めされる。第２ケラバ側枠材６３２（ケラバ側枠材６３）は、太陽光パネル５側の下部に形成され且つ屋根面の端部に配置される縦桟４１の少なくとも一部を収容可能な凹部６３２ａを有する。
【００４１】
図４に示すように、太陽光発電屋根１は、ケラバ側枠材６３の上面に取り付けられる隙間カバー６３３を更に有する。隙間カバー６３３は、ケラバ側枠材６３と太陽光パネル５との間に形成される隙間を塞ぐ。
【００４２】
棟化粧材としての棟側枠材６２は、太陽光発電屋根１の架台本体４０（縦桟４１）の棟側の端部を覆うように配置される。棟側枠材６２は、太陽光発電屋根１の屋根面の傾斜方向に直交する方向に延びてその棟部を覆うことで、棟部を保護する。これにより、棟部の意匠性が高められている。また、棟側枠材６２は、横桟４２に対して棟側枠材６２が棟側枠材６２の延設方向と直交する方向（縦方向）に位置調整可能となっている。
【００４３】
次に、棟側枠材６２の構成について説明する。図５は、上記実施形態に係る太陽光発電屋根１の棟側枠材６２の拡大縦断面図である。図６は、上記実施形態に係る棟カバー６２３の取付位置の調整機能を説明する図である。
【００４４】
図５に示すように、本実施形態の棟側枠材６２は、棟アタッチメント６２１と、棟カバー取付部６２２と、棟カバー６２３と、出隅部に配置される出隅用コーナー部材６９と、を備える。なお、出隅用コーナー部材６９の詳細は後述する。
【００４５】
棟アタッチメント６２１は、棟に沿って延設され、架台本体４０の縦桟４１にビス止めされる。棟アタッチメント６２１は、その上部の棟側にビス固定部６２１ａが形成される。ビス固定部６２１ａは、棟アタッチメント６２１の軒側の上面に対して凹むように形成されている。
【００４６】
棟カバー取付部６２２は、棟に沿って延設され、棟アタッチメント６２１にビス止めされる。本実施形態の棟カバー取付部６２２は、取付本体部６２２ａと、締結片６２２ｂと、取付部側係合部６２２ｃと、を備える。
【００４７】
取付本体部６２２ａは、その下部が棟側に近づくに従って屋根面から離れるように傾斜面６２２ｄを有し、その断面形状が傾斜方向における軒側の反対側に突出する略三角形状に形成される。
【００４８】
取付本体部６２２ａの傾斜面６２２ｄの下部には、傾斜方向における軒側と棟側の二手に分岐する延出部６２２ｅが形成される。延出部６２２ｅは、軒側に延びた後、上方に屈曲し、溝６２２ｆを形成する。この溝６２２ｆに溜まった水は縦桟４１に流れ込んで軒側に排水される。
【００４９】
締結片６２２ｂは、取付本体部６２２ａの軒側の上部から、傾斜方向の軒側に延び出るように形成される。締結片６２２ｂの下面がビス固定部６２１ａの上面に対面する状態でビスが締結されることにより、棟アタッチメント６２１と棟カバー取付部６２２が接続される。
【００５０】
取付部側係合部６２２ｃは、棟カバー取付部６２２の傾斜方向における棟側の端部に形成される。取付部側係合部６２２ｃは、後述の棟カバー側係合部６２５と傾斜方向で係合する凹状になっている。また、取付部側係合部６２２ｃの傾斜方向の軒側には棟に沿って延びる凹部６２２ｇが形成される。
【００５１】
棟カバー６２３は、棟に沿って延設され、棟カバー取付部６２２を介して架台本体４０に固定される。
【００５２】
本実施形態の棟カバー６２３は、カバー本体部６２３ａと、複数の棟カバー側係合部６２５ａ，ｂ，ｃと、を備える。
【００５３】
カバー本体部６２３ａは、断面視で、棟側に向かって屋根面の傾斜方向に沿って延びた後、下方に傾斜するように形成される。
【００５４】
棟カバー側係合部６２５ａ，ｂ，ｃは、棟カバー取付部６２２に対する棟カバー６２３の取付位置を調整するための部材である。棟カバー側係合部６２５ａ，ｂ，ｃは、傾斜方向の棟側から軒側に向かう方向で略等間隔に配置されている。
【００５５】
本実施形態では、棟カバー側係合部６２５ａは、カバー本体部６２３ａの内面における軒側を向く面から傾斜方向に突出するように形成される。図５に示す例では、軒側から最も離れた位置の棟カバー側係合部６２５ａが取付部側係合部６２２ｃに係合されている。
【００５６】
また、棟カバー側係合部６２５ｂ及び棟カバー側係合部６２５ｃは、その断面形状が、カバー本体部６２３ａの内面の上側から下側に突出した後、傾斜方向の軒側に屈曲する略Ｌ字状に形成されている。
【００５７】
棟カバー側係合部６２５ａ，ｂ，ｃの何れかを棟カバー取付部６２２の取付部側係合部６２２ｃに差し込むことにより、棟カバー６２３の位置が決まる。
【００５８】
図１に示すように、棟端部カバー７０は、棟の妻側の端部にそれぞれ設けられる。図５に示すように、棟端部カバー７０は、棟カバー６２３を覆うように棟カバー６２３の外形に沿って形成される。棟カバー６２３にビス止めされる。
【００５９】
ここで、図６を参照して棟カバー６２３の取付位置の調整機能について説明する。図６では、同じ構造の棟カバー取付部６２２において、棟カバー６２３の取付位置が異なる場合を示している。
【００６０】
図６（ａ）は、棟カバー側係合部６２５ａと取付部側係合部６２２ｃが係合している状態を示している。図６（ａ）に示す取付位置では、横桟４２から棟カバー６２３の端面までの長さＬ１が他の取付位置よりも相対的に短くなっている。また、棟端部カバー７０を締結するビス７５の先端部が凹部６２２ｇの内側に位置している。
【００６１】
図６（ｂ）は、棟カバー側係合部６２５ｂと取付部側係合部６２２ｃが係合している状態を示している。図６（ｂ）では、棟カバー側係合部６２５ａに対して軒側に位置する棟カバー側係合部６２５ｂに取付部側係合部６２２ｃが係合しているため、横桟４２から棟カバー６２３の端面までの長さＬ２がＬ１よりも長くなっている。また、棟端部カバー７０を締結するビス７５の先端部が取付部側係合部６２２ｃよりも傾斜方向の棟側に位置している。
【００６２】
図６（ｃ）は、棟カバー側係合部６２５ｃと取付部側係合部６２２ｃが係合している状態を示している。図６（ｃ）では、複数の棟カバー側係合部６２５ａ，ｂ，ｃのうち、最も軒側に位置する棟カバー側係合部６２５ｃに取付部側係合部６２２ｃが係合しているため、横桟４２から棟カバー６２３の端面までの長さＬ３が他の取付位置の長さＬ２及びＬ３よりも長くなっている。また、棟端部カバー７０を締結するビス７５の先端部が取付部側係合部６２２ｃよりも傾斜方向の棟側に位置している。
【００６３】
ところで、太陽光パネル５の大きさは、商品ごとの規格によって特定の大きさに定められており、屋根の大きさも個々の建物によって変わる。従って、太陽光パネル５と周囲枠の間の隙間の距離は適用される太陽光パネルの規格、設置数、レイアウト等や屋根の形状によって一定ではない。本実施形態によれば、複数の棟カバー側係合部６２５ａ，ｂ，ｃが棟カバー６２３に形成されていることにより、棟カバー６２３の取付位置を調整することにより、太陽光パネル５と周囲枠の間の隙間を現場で調整可能になっており、意匠性や通気路７の通気性を損なうことなく、周囲枠の間の隙間を埋めることができる。
【００６４】
次に、水返し材９について説明する。水返し材９は、排気路８内における片流れ屋根の棟側の端部であって下地材３の上面に立設される。水返し材９は、排気路８を通気路７に連通する通気路側排気路８２と、排気口８１に連通する排気口側排気路８３と、これらを連通する連通路８４とに仕切る。即ち、本実施形態では、水返し材９と棟カバー６２３（棟側枠材６２）
【００６５】
本実施形態の水返し材９は、水返し本体部９１と、締結孔９２と、延出部９３と、を備える。
【００６６】
水返し本体部９１は、棟に沿って延設され、その断面形状がＬ字状に形成される。水返し本体部９１の底部が下地材３の上面に接した状態となる。
【００６７】
締結孔９２は、水返し本体部９１の底部に形成される。この締結孔９２を通じてビス９５によって水返し本体部９１が下地材３の上面側に固定される。本実施形態では、ビス９５の締結箇所が、水返し本体部９１における棟に沿う方向の複数個所に設定されている。
【００６８】
延出部９３は、水返し本体部９１の上端部から傾斜方向の両側にそれぞれ延出しており、断面形状が略Ｔ字状になっている。この延出部９３によって排気口８１を通じて外部から入った水が水返し本体部９１を乗り越えて棟側通気口７２側に侵入する事態が防止される。
【００６９】
ここで、太陽光パネル５と下地材３との間の通気路７について説明する。図２に示すように、通気路７は、軒側に開口する軒側通気口７１と、棟側に開口する棟側通気口７２と、を有する。更に、棟側枠材６２（棟カバー６２３）は、棟側通気口７２を介して通気路７に連通するとともに、棟を介して棟側通気口７２とは逆側に配置される排気口８１を有する排気路８を形成する。排気口８１は、棟側の下方に開口する。
【００７０】
例えば、軒側通気口７１から通気路７に流入した空気は、棟側通気口７２を通過する。通気路７を空気が流通することにより、太陽光パネル５が裏面側から冷却される。そして、棟側通気口７２を通過した空気は、排気路８を通過して排気口８１から排出される。排気口８１から排気路８に流入した空気は、逆方向に流通する。
【００７１】
排気口側排気路８３は、空気の出入口となり、換気性能をより良好なものにする観点から建物の屋根形状に応じて調整することが好ましい。本実施形態では、排気口側排気路８３を形成する水返し材９及び棟カバー６２３の形状を変更するための加工を工場で行ったり、現場で加工したりすることなく、水返し材９の取付位置の調整によって排気口側排気路８３の幅を正確に設定できる。また、本実施形態のように棟カバー６２３の位置を調整できる構成であれば、棟カバー６２３の位置に応じて水返し材９を調整することもでき、現場の施行状況に応じて柔軟に対応することができる。
【００７２】
次に、図７を参照しながら、ケラバ側枠材６３の位置調整について説明する。図７は、上記実施形態に係るケラバ側枠材６３周辺の横断面図である。図７（ａ）は、太陽光パネル５とケラバ側枠材６３の隙間Ｗ１が相対的に小さい場合を示し、図７（ｂ）は、相対的に隙間Ｗ２が大きい場合を示す。なお、図７では、太陽光パネル５等の他の構成については省略されている。
【００７３】
本実施形態では、図７（ａ）及び図７（ｂ）に示すように、縦桟４１に対してケラバ側枠材６３がケラバ側枠材６３の延設方向と直交する方向（横方向）に位置調整可能になっている。本実施形態では、太陽光発電屋根１の架台本体４０の周囲に配置された周囲枠としてのケラバ側枠材６３が、縦桟４１の少なくとも一部を収容可能な凹部６３２ａを有し、ケラバ側枠材６３の延設方向の直交方向にスライドして位置調整された上で縦桟４１に固定されるように構成される。また、第２ケラバ側枠材６３２にケラバ側枠材６３の延設方向と直交する方向に延びる長孔（図示省略）が形成されている。この長孔を挿通するビスの締結位置を調整することで、縦桟４１に対するケラバ側枠材６３の位置を調整してケラバ側枠材６３と太陽光パネル５との間の隙間を調整できる。
【００７４】
このように、太陽光発電屋根１の施工時に太陽光パネル５とその周囲枠としてのケラバ側枠材６３との間の距離を適宜調整することができる。従って、現場に施工された下地材３に寸法誤差があっても、現場で加工を行わずに、容易に太陽光パネル５とケラバ側枠材６３との間の距離の調整をすることが可能である。このように、太陽光発電屋根１は施工性が高くなっている。また、第１ケラバ側枠材６３１の上面において隙間カバー６３３がビス止めされる位置は、太陽光パネル５に太陽光が当たる面積を減らさないように適宜調整される。
【００７５】
次に、出隅用コーナー部材６９の詳細について説明する。図１に示すように、出隅用コーナー部材６９は、太陽光パネル架台４における棟側の出隅部に配置される。図８は、第１実施形態に係る出隅用コーナー部材６９の分解斜視図である。図８に示すように、本実施形態の出隅用コーナー部材６９は、棟端部カバー７０と、コーナーブロック７６と、コーナーカバー７７と、を備える。
【００７６】
棟端部カバー７０は、出隅部において傾斜方向の棟側、ケラバ方向の外側、上側の３方を覆うように形成される。棟端部カバー７０は、その大きさが、後述する傾斜方向の幅及びケラバ方向の幅が最も狭くなるように調整された場合でも、太陽光パネル５の受光面を覆わないように設定される。棟端部カバー７０の上面には締結孔７０１が二箇所設けられている。
【００７７】
コーナーブロック７６は、太陽光パネル架台４における出隅部を形成する略直方体状の部材である。コーナーブロック７６は、その長手方向が流れ方向を向くように配置されている。コーナーブロック７６には、コーナーカバー７７をビス止めするための締結孔７６１が２箇所形成される。
【００７８】
コーナーカバー７７は、コーナーブロック７６に対してケラバ方向にスライド移動可能に設けられる。本実施形態では、コーナーカバー７７には、ケラバ方向に延びる細長の長孔７７１が２箇所形成されており、この長孔７７１を通じてコーナーカバー７７はコーナーブロック７６にビス止めされている。図４に示すように、コーナーカバー７７は、棟端部カバー７０とコーナーブロック７６に上下方向で挟まれた状態でケラバ方向の内側の隙間を覆う。
【００７９】
図９は、上記実施形態に係る出隅用コーナー部材６９の位置調節機能を説明する図である。図９（ａ）は、ケラバ側枠材６３の傾斜方向の長さ（コーナーブロック７６及びコーナーカバー７７の露出分を含めた長さ）及び棟側枠材６２のケラバ方向の長さが短く調整された例を示し、図９（ｂ）は、ケラバ側枠材６３の傾斜方向の長さ及び棟側枠材６２のケラバ方向の長さが長く調整された例を示す。
【００８０】
図９（ｂ）の場合における棟端部カバー７０の軒側の端部から第１ケラバ側枠材６３１までの長さＬ１１は、図９（ａ）の場合における棟端部カバー７０の軒側の端部から第１ケラバ側枠材６３１までの長さＬ１０に比べ長くなっている。
【００８１】
傾斜方向では、図９（ａ）に比べ図９（ｂ）は、長さＬ１１と長さＬ１０の差分だけコーナーブロック７６及びコーナーカバー７７の外部への露出量が増えた状態となっている。このように、図９（ｂ）では、棟端部カバー７０からコーナーブロック７６が突出する量が大きくなっており、コーナーブロック７６に対する棟端部カバー７０の締結位置が相対的に棟側となっている。このように、本実施形態では、コーナーブロック７６の位置を調整することなく、棟端部カバー７０のコーナーブロック７６及びコーナーカバー７７の呑み込み代を調整することによって、第１ケラバ側枠材６３１と出隅用コーナー部材６９の間に隙間が生じる事態を回避している。
【００８２】
また、ケラバ方向では、図９（ａ）に比べ図９（ｂ）は、コーナーカバー７７の位置がケラバ方向の内側に移動している。これにより、横桟４２及び棟カバー６２３のケラバ側に形成される隙間が、コーナーカバー７７による位置調節で埋められる。
【００８３】
以上のように、図９（ａ）及び図９（ｂ）のいずれの場合においても、化粧材としてのケラバ側枠材６３及び棟側枠材６２と、出隅用コーナー部材６９の３者間において形成され得る隙間が、出隅用コーナー部材６９の位置調節機能によって埋められるようになっている。
【００８４】
本実施形態によれば、以下の効果が奏される。
即ち本実施形態では、太陽光パネル架台４と、太陽光パネル架台４上に固定される太陽光パネル５と、太陽光パネル架台４の縦側の端部を覆うように配置されて横方向に位置調整可能なケラバ側枠材６３と、太陽光パネル架台４の横側の端部を覆うように配置されて縦方向に位置調整可能な棟側枠材６２と、を備える太陽光発電屋根１の出隅部に対して、出隅部を覆う棟端部カバー７０と、棟端部カバー７０が取り付けられるとともに棟端部カバー７０を縦方向又は横方向に位置調整可能なコーナーブロック７６と、コーナーブロック７６と棟端部カバー７０の間で棟端部カバー７０の位置調整可能な方向に少なくとも直交する方向で位置調整可能なコーナーカバー７７と、を備える出隅用コーナー部材６９を設けた。
これにより、化粧材としてのケラバ側枠材６３及び棟側枠材６２と、出隅用コーナー部材６９の３者間において形成され得る隙間を、出隅用コーナー部材６９の位置調節機能によって確実に埋めることができる。即ち、屋根の化粧材が傾斜方向及びケラバ方向のいずれにスライド移動したとしても、本実施形態のように少なくとも３つの部品で構成される出隅用コーナー部材６９をその移動に追従するように配置することができ、現場の加工や予め特注品を製造することなく、種々の寸法の下地材に対応できる。
従って本実施形態によれば、出隅部において屋根の流れ方向やケラバ方向の長さが現場によって異なる場合でも、柔軟に対応できる太陽光発電屋根１の出隅用コーナー部材６９を提供できる。
【００８５】
また本実施形態では、太陽光パネル架台４を、ケラバ側枠材６３を支持する縦桟４１と、縦桟４１に連結されて棟側枠材６２を支持する横桟４２と、を有するように構成した。また、縦桟４１がその延設方向に延びる溝で形成された縦桟樋部４１０を有し、横桟４２がその延設方向に延びる溝で形成された横桟樋部４２０を有するように構成するとともに、縦桟樋部４１０と横桟樋部４２０が互いに連通するように構成した。
これにより、出隅用コーナー部材６９の位置調節によって出隅部から雨水が内部に侵入した場合であっても、互いに連通する縦桟樋部４１０と横桟樋部４２０によって軒側に確実に排水でき、出隅部の水仕舞いを向上できる。
【００８６】
次に、上欠けの屋根の入隅に本発明を適用した第２実施形態の太陽光発電屋根２０１について説明する。図１０は、第２実施形態に係る太陽光発電屋根２０１の入隅部を示す拡大平面図である。図１１は、第２実施形態に係る入隅用コーナー部材２６９の分解斜視図である。
【００８７】
図１０に示すように、第２実施形態に係る太陽光発電屋根２０１は、ケラバ側枠材２６３と、横枠材２６５と、によって形成される入隅部に配置される入隅用コーナー部材２６９を備える。なお、図１０におけるケラバ側枠材２６３の紙面左側及び横枠材２６５の紙面下側は太陽光パネル５が支持される太陽光発電屋根２０１であり、紙面右上部分が屋根の外側の空間になっている。
【００８８】
図１１に示すように、本実施形態の入隅用コーナー部材２６９は、入隅カバー２７０と、コーナーブロック２７６と、コーナーカバー２７７と、を備える。
【００８９】
入隅カバー２７０は、入隅部においてケラバ側枠材２６３と横枠材２６５が接続される部分（入隅部）の形状に応じて形成される。入隅カバー２７０は、その大きさが、後述するケラバ方向の幅が最も狭くなるように調整された場合でも、太陽光パネル５の受光面を覆わないように設定される。また、入隅カバー２７０の上面には締結孔７０１が二箇所設けられている。
【００９０】
コーナーブロック２７６は、入隅用コーナー部材２６９を形成する略直方体状の部材である。コーナーブロック２７６は、その長手方向が傾斜方向を向くように配置されている。コーナーブロック２７６には、コーナーカバー２７７をビス止めするための締結孔７６１が２箇所形成される。
【００９１】
コーナーカバー２７７は、コーナーブロック２７６に対してケラバ方向にスライド移動可能に設けられる。本実施形態では、コーナーカバー２７７には、ケラバ方向に延びる細長の長孔７７１が２箇所形成されており、この長孔７７１を通じてコーナーブロック２７６にビス止めされている。
【００９２】
図１２は、第２実施形態に係る入隅用コーナー部材２６９の位置調節機能を説明する図である。図１２（ａ）は、横枠材２６５の傾斜方向の長さ（コーナーブロック２７６及びコーナーカバー２７７の露出分を含めた長さ）が相対的に長く調整された例を示し、図１２（ｂ）は、横枠材２６５の傾斜方向の長さが短く調整された例を示す。なお、図１２では、太陽光パネル５等の他の構成については省略されている。
【００９３】
図１２（ａ）及び（ｂ）に示すように、ケラバ側枠材２６３が固定される縦桟２４１は傾斜方向に延設されるとともに、横枠材２６５が固定される横桟２４２がケラバ方向に架け渡される。なお、図１０及び図１２において図示を省略しているが、ケラバ側枠材２６３の左側にも太陽光パネルが配置されている。図１０において、縦桟２４１は太陽光パネルの枠部分によって外側から見えない状態になっている。
【００９４】
本実施形態では、ケラバ側枠材２６３が縦桟４１に対してケラバ方向に位置調整可能に構成されるとともに、横枠材２６５が傾斜方向に位置調整可能に構成される。そして、図１２（ａ）の場合に対して１２（ｂ）では、横枠材２６５の横枠カバー２６６が横桟２４２に対して離れた位置となっている。
【００９５】
図１２（ｂ）の場合における入隅カバー２７０の棟側の端部からケラバ側枠材２６３の端部までの長さＬ３１が、図１２（ａ）の場合における入隅カバー２７０の棟側の端部からケラバ側枠材２６３の端部までの長さＬ３０に比べ長くなっている。
【００９６】
傾斜方向では、図１２（ａ）に比べ図１２（ｂ）は、長さＬ３０と長さＬ３１の差分だけコーナーブロック７６及びコーナーカバー７７の外部への露出量が増えた状態となっている。このように、図１２（ｂ）では、入隅カバー２７０からコーナーブロック２７６が突出する量が大きくなっており、コーナーブロック２７６に対する入隅カバー２７０の締結位置が相対的に軒側となっている。このように、本実施形態では、コーナーブロック２７６の位置を調整することなく、入隅カバー２７０のコーナーブロック２７６及びコーナーカバー２７７の呑み込み代を調整することによって、ケラバ側枠材２６３と入隅カバー２７０の間に隙間が生じる事態を回避している。
【００９７】
本実施形態によれば、以下の効果が奏される。
即ち本実施形態では、太陽光パネル架台４と、太陽光パネル架台４上に固定される太陽光パネル５と、太陽光パネル架台４の縦側の端部を覆うように配置されて横方向に位置調整可能なケラバ側枠材２６３と、太陽光パネル架台４の横側の端部を覆うように配置されて縦方向に位置調整可能な横枠材２６５と、を備える太陽光発電屋根２０１の入隅部に対して、入隅部を覆う入隅カバー２７０と、入隅カバー２７０が取り付けられるとともに入隅カバー２７０を縦方向又は横方向に位置調整可能なコーナーブロック２７６と、コーナーブロック２７６と入隅カバー２７０の間で入隅カバー２７０の位置調整可能な方向に少なくとも直交する方向で位置調整可能なコーナーカバー２７７と、を備える入隅用コーナー部材２６９を設けた。
これにより、化粧材としてのケラバ側枠材２６３及び横枠材２６５と、入隅用コーナー部材２６９の３者間において形成され得る隙間を、入隅用コーナー部材２６９の位置調節機能によって確実に埋めることができる。即ち、屋根の化粧材が傾斜方向及びケラバ方向のいずれにスライド移動したとしても、本実施形態のように少なくとも３つの部品で構成される入隅用コーナー部材２６９をその移動に追従するように配置することができ、現場の加工や予め特注品を製造することなく、種々の寸法の下地材に対応できる。
従って本実施形態によれば、入隅部において屋根の流れ方向やケラバ方向の長さが現場によって異なる場合でも、柔軟に対応できる太陽光発電屋根２０１の入隅用コーナー部材２６９を提供できる。
【００９８】
また本実施形態では、縦桟及び横桟を、第１実施形態と同様の構成とした。即ち、縦桟に排水構造としての縦桟樋部を設けるとともに、横桟に排水構造としての横桟樋部を設け、これら縦桟樋部と横桟樋部とを互いに連通させた。
これにより、入隅用コーナー部材２６９の位置調節によって入隅部から雨水が内部に侵入した場合であっても、互いに連通する縦桟樋部と横桟樋部によって軒側に確実に排水でき、入隅部の水仕舞いを向上できる。
【００９９】
なお、本発明は上記実施形態に限定されるものではなく、本発明の目的を達成できる範囲での変形、改良等は本発明に含まれる。
例えば、上記実施形態のように片流れ式の屋根に限定されず、切妻式の屋根に適用することも可能である。また、太陽光パネルと屋根材が張り分けられる形式の太陽光発電屋根においても本発明を適用できる。このように、本発明は種々の太陽光発電屋根に用いることができる。
また、上記実施形態では、縦桟に縦桟樋部を設けるとともに、横桟に横桟樋部を設けたがこれに限定されない。縦桟及び横桟にこれら樋部のような排水構造を設けなくてもよい。
【符号の説明】
【０１００】
１，２０１  太陽光発電屋根
４  太陽光パネル架台（架台）
５  太陽光パネル
４１  縦桟
４２  横桟
６２  棟側枠材（横側化粧材）
６３  ケラバ側化粧材（縦側化粧材）
６９  出隅用コーナー部材
７０  棟端部カバー（端部カバー）
７６  コーナーブロック
７７  コーナーカバー（スライドカバー）
２６３  ケラバ側枠材（縦側化粧材）
２６５  横枠材（横側化粧材）
２６９  入隅用コーナー部材
２７０  入隅カバー
２７６  コーナーブロック
２７７  コーナーカバー
４１０  縦桟樋部
４２０  横桟樋部
【図１】
0006568470.tif 000002
【図２】
0006568470.tif 000003
【図３】
0006568470.tif 000004
【図４】
0006568470.tif 000005
【図５】
0006568470.tif 000006
【図６】
0006568470.tif 000007
【図７】
0006568470.tif 000008
【図８】
0006568470.tif 000009
【図９】
0006568470.tif 000010
【図１０】
0006568470.tif 000011
【図１１】
0006568470.tif 000012
【図１２】
0006568470.tif 000013